(57)【要約】【課題】小型のディスプレイを備えた撮像装置においても、再生された撮影画像の構図や傾きなどを容易に確認できるようにする。【解決手段】被写体を撮像する撮像部１１３と、撮像部により撮像された画像を表示する表示部２７と、表示部に、撮像部により撮像された画像と共に、その画像における被写体の位置を確認するための補助目盛りを表示させるように制御する表示制御部１０１とを備える。【選択図】図２Ａ
2009141703.tif 000002
【特許請求の範囲】
【請求項１】
ファインダー光学系と、
前記ファインダー光学系に装着され被写体像が結像されるファインダースクリーンと、
被写体を撮像する撮像手段と、
前記撮像手段により撮像された画像を表示する表示手段と、
前記表示手段に、前記撮像手段により撮像された画像と共に、前記ファインダースクリーンに形成された撮影補助枠と同形の補助目盛りを表示させるように制御する表示制御手段と、
を備えることを特徴とする撮像装置。
【請求項２】
前記ファインダースクリーンは交換可能であって、前記表示制御手段は、装着されたファインダースクリーンに形成された撮影補助枠と同形の前記補助目盛りを前記表示手段に表示させるように制御することを特徴とする請求項１に記載の撮像装置。
【請求項３】
前記補助目盛りは、方眼目盛りを含むことを特徴とする請求項１に記載の撮像装置。
【請求項４】
前記補助目盛りは、黄金分割を用いた方眼目盛りを含むことを特徴とする請求項１に記載の撮像装置。
【請求項５】
前記表示制御手段は、前記画像を前記表示手段に拡大して表示する機能を有し、前記画像を拡大して表示する場合には、前記補助目盛りも拡大して表示することを特徴とする請求項１に記載の撮像装置。
【請求項６】
前記表示制御手段は、前記画像を前記表示手段に拡大して表示する機能を有し、前記画像を拡大して表示する場合でも、前記補助目盛りは拡大せずに表示することを特徴とする請求項１に記載の撮像装置。
【請求項７】
ファインダー光学系と、前記ファインダー光学系に装着され被写体像が結像されるファインダースクリーンと、被写体を撮像する撮像手段と、前記撮像手段により撮像された画像を表示する表示手段と、を備える撮像装置を制御する方法であって、
前記表示手段に、前記撮像手段により撮像された画像と共に、前記ファインダースクリーンに形成された撮影補助枠と同形の補助目盛りを表示させるように制御する表示制御工程を備えることを特徴とする撮像装置の制御方法。
【請求項８】
請求項７に記載の制御方法をコンピュータに実行させるためのプログラム。
【発明の詳細な説明】
【技術分野】
【０００１】
本発明は、撮像装置に設けられた撮影画像確認用モニタに表示される画像の確認を容易化する方法に関するものである。
【背景技術】
【０００２】
近年、従来の銀塩フィルムを用いるカメラに置き換わって、ＣＣＤやＣＭＯＳセンサ等の撮像素子を用いたデジタルカメラが急速に広まっている。その理由の一つに、撮影した直後に、記録された画像を再生して確認できることがあげられる。
【０００３】
たとえば、人物撮影をするときなどに、撮影のタイミングで被写体である人物が目を閉じてしまう可能性がある。銀塩フィルムを使った撮影では、撮影した画像をその場で確認することができないため、念のために複数枚撮影しておく等の手段を講じなければならなかった。それがデジタルカメラでは、撮影現場にて撮影画像を再生して確認することで、目を閉じているか否かを確認でき、必要以上に撮影する必要がなくなった。このように、撮影した画像をその場で確認できることは、デジタルカメラの利便性をより高いものとしている。
【０００４】
さらに、確認を助ける手法として、本願出願人が既に出願している特許文献１には、モニターに再生された画像に合焦位置をスーパーインポーズするなどの技術が開示されている。これは、オートフォーカス(以下、ＡＦと称す)のセンサが働いた箇所を確認し、実際にＡＦが精度良く動作したかを確認し、失敗したか否かを直ちに判定するために有効な技術である。
【特許文献１】特開２０００−１２５１７８号公報
【発明の開示】
【発明が解決しようとする課題】
【０００５】
しかしながら、小型化を目指したカメラに付属するようなこの種のモニターは、小型ゆえに再生する画像も小さなものとなってしまう。そのため、一般家庭やオフィスなどで使用しているパソコンモニタや、スタジオで使われるディスプレイと比べると非常に確認がしづらくなることはやむをえない。また、カメラ自身も携帯性を重視しているために小型化されており、水平な状態を維持しながら撮影することが困難であり、撮影時の構図が僅かに傾いてしまう場合などもある。
【０００６】
そのため、撮影現場で確認したつもりであっても、家庭や、オフィス、スタジオに撮影データを持ち帰ってその画像を確認したとき、撮影者の意図とはずれた構図であったり、傾いて撮影されていたりすることが少なくない。
【０００７】
たとえば、上記の特許文献１においても、ＡＦした測距点付近を拡大して表示するなど、モニタが小型であるが故の補助的な動作を必要としている。
【０００８】
従来も、こういった失敗を防ぐために、たとえば、一部の高額な一眼レフカメラなどでは方眼目盛り付の光学マットを１次結像面に配置し、撮影時に撮影者を補助するシステムも提供されている。しかし、このシステムもレリーズ時にシャッターボタンを押したことによる手ぶれ等によって、角度のずれた画像を取得することとなってしまうことも少なくない。しかも、デジタルカメラ付属の、小型モニタでは、そのときぶれたことや、回ってしまったことを撮影者に気づかせるには、十分な大きさとは言えない。
【０００９】
先の光学マットに方眼目盛りをつけた物なども発売されているが、撮影時に方眼が見えていると、方眼に気をとられ、全体の様子を見ることができないなどの理由から「画面がうるさくなる」と、敬遠する撮影者も多い。
【００１０】
たとえば、図３は、建物を示しているが、この建物を撮影したとき、図４に示すような画像になることが望ましい。ところが、カメラのレリーズボタンは、光軸の回りに回転する方向に力がかかる位置に設けられていることが多く、レリーズボタンを押すと、図５のように光軸の回りに微妙に傾いた画像が撮影されることがしばしばある。図５の画像は、右方向に約１度傾いている。とくに建物のように、長方形の被写体では、画面に対しての角度が見えやすく、失敗画像となってしまう。
【００１１】
一方、この画像をカメラ付属の小型モニタで確認したとしても、モニタが小型であるが故に、その微少な回転角などがわかりにくい。小型モニタの解像度が悪いことに加え、小型モニタが設置されているカメラ自体を完全に水平な位置に置くことがむずかしく、撮影したその場での確認では１度といった微少な角度のズレを確認することは容易ではない。
【００１２】
また、初日の出や、富士山のような左右対称の被写体を撮影する場合は、被写体が画面中央に来ることが求められるが、これも正しく撮影できたか否かをカメラ付属の小型モニタで確認することは容易ではなかった。上記の光学マットとして、十文字のけがきがなされている物を取り付けて、確認しながらレリーズしたとしても、レリーズ時のぶれなどによって、撮影画像の中心が被写体中心から外れているなどの失敗画像を撮影することが少なくない。
【００１３】
かといって、確認用の大きなディスプレイ装置を撮影現場に持参することは、機動性に欠け、現実的ではない。
【００１４】
さらには、写真のテクニックとして、被写体の配置をバランス良く撮影することが、上達の第一歩である。写真雑誌等では、その手法が図解などされて紹介されているが、カメラ側でもその理論にそった補助的機能によって撮影の手助けができれば、構図の良い写真撮影が可能となり、写真文化の普及にも貢献できると考えられる。
【００１５】
従って、本発明は上述した課題に鑑みてなされたものであり、その目的は、小型のディスプレイを備えた撮像装置においても、再生された撮影画像の構図や傾きなどを容易に確認できるようにすることである。
【課題を解決するための手段】
【００１６】
上述した課題を解決し、目的を達成するために、本発明に係わる撮像装置は、ファインダー光学系と、前記ファインダー光学系に装着され被写体像が結像されるファインダースクリーンと、被写体を撮像する撮像手段と、前記撮像手段により撮像された画像を表示する表示手段と、前記表示手段に、前記撮像手段により撮像された画像と共に、前記ファインダースクリーンに形成された撮影補助枠と同形の補助目盛りを表示させるように制御する表示制御手段と、を備えることを特徴とする。
【００１７】
また、本発明に係わる撮像装置の制御方法は、ファインダー光学系と、前記ファインダー光学系に装着され被写体像が結像されるファインダースクリーンと、被写体を撮像する撮像手段と、前記撮像手段により撮像された画像を表示する表示手段と、を備える撮像装置を制御する方法であって、前記表示手段に、前記撮像手段により撮像された画像と共に、前記ファインダースクリーンに形成された撮影補助枠と同形の補助目盛りを表示させるように制御する表示制御工程を備えることを特徴とする。
【発明の効果】
【００１８】
本発明によれば、小型のディスプレイを備えた撮像装置においても、再生された撮影画像の構図や傾きなどを容易に確認することが可能となる。
【発明を実施するための最良の形態】
【００１９】
以下、本発明の好適な実施形態について、図面を参照して詳細に説明する。
【００２０】
（第１の実施形態）
図１Ａ、図１Ｂは、本発明の各実施形態に共通する撮像装置としてのデジタルスチルカメラ（以下、単にカメラと称する）の外観図である。
【００２１】
図１Ａは、カメラを上部から見た図であり、図１Ｂは背面から見た図である。図１Ａ、図１Ｂにおいて、３０は、カメラ本体である。２５は第１の外部表示装置であり、主に露出制御に関する各種の設定情報を中心に表示する液晶素子である。２６は、第２の外部表示装置であり、主に画像処理に関する各種の設定情報を中心に表示する液晶素子である。２７は、第３の外部表示装置である小型モニタであり、撮影された画像を確認用に表示する他、各種設定の表示も行うことが可能なカラー液晶素子である。
【００２２】
３１はレリーズボタンであり、所望のタイミングで押すことにより撮影が行われる。３２はメイン電子ダイヤル、３３はサブ電子ダイヤルであり、ダイヤルを回転することで各種設定を行う。
【００２３】
３４，３５，３６は各種の撮影設定モードを選択するためのモード設定ボタンであり、３４は撮影モード選択ボタン、３５はＡＦモード選択ボタン、３６は測光モード選択ボタンである。
【００２４】
３７，３８，３９，４０，４１は各種の設定や選択をするためのデジタル系設定選択手段である。具体的には、３７は録音ボタン、３８はメニュー設定を行うメニューボタン、３９はメニューなどの設定時の選択を行うセレクトボタン、４０は画像の表示を行う画像表示ボタン、４１は不要な画像を消去する消去ボタンである。
【００２５】
４２，４３は、ホワイトバランス設定ボタンである。
【００２６】
４４，４５は、再生画像の拡大・縮小再生時に使用するボタンであり、４４が拡大ボタン、４５が縮小ボタンである。
【００２７】
１０９は、カメラ本体に着脱可能に装着されるレンズである。
【００２８】
またこの図では示されないがその他の各種操作ボタンも備える。
【００２９】
図２Ａは、本発明の各実施形態に共通するデジタルカメラシステムの構成を示すブロック図である。
【００３０】
図２Ａにおいて、１０１はデジタルカメラ全体を制御する制御ＣＰＵ、１０２はレリーズボタン３１の押下に連動してＯＮ／ＯＦＦするレリーズスイッチである。１０３は固体撮像素子１１３の感度を設定するスイッチで、固体撮像素子１１３の感度を銀塩フィルムのＩＳＯ感度に相当する値に設定できる。１０４はそのほかの各種スイッチであり、図１Ａ、図１Ｂで説明した各種のボタン、ダイヤルなどを含んでいる。
【００３１】
１０５はＡＦ回路、１０６はＤＣ／ＤＣコンバータでデジタルカメラ内で必要とされる各種電圧をまかなっている。
【００３２】
１０７はシャッター駆動回路で、制御ＣＰＵ１０１からの信号によってシャッター１１０を駆動する。
【００３３】
１０８はレンズ駆動回路で、制御ＣＰＵ１０１からの信号によってレンズ１０９を駆動する。
【００３４】
１０９はレンズ、１１０はシャッター、１１１はタイミングジェネレータであり撮像ドライバー１１２、撮像信号処理回路１１４、Ａ／Ｄ変換部１１５に各種タイミング信号を出力する。
【００３５】
１１２は、固体撮像素子１１３を駆動するための撮像ドライバー、１１３は被写体像を撮像する固体撮像素子である。
【００３６】
１１４は、固体撮像素子１１３から出力される画像信号に各種の補正、クランプなどの処理を行う撮像信号処理回路である。
【００３７】
１１５は、撮像信号処理回路１１４を経たアナログ画像信号をデジタル信号に変換するＡ／Ｄ変換回路、１１６はＡ／Ｄ変換回路１１５から出力された画像データに各種の補正を行ったり、データ圧縮をする信号処理部である。
【００３８】
１１７は、画像データを一時的に記憶するためのメモリー部、１１８は記録媒体１１９に記録または読み出しを行うための記録媒体制御インターフェース部である。
【００３９】
１１９は、画像データの記録または読み出しを行うための半導体メモリー等の脱着可能な記録媒体、２７は、既に図１Ｂで説明したように、撮影画像の確認や、メニュー画面などを表示するＴＦＴ等からなる小型モニタである。
【００４０】
図２Ｂは、図１Ａ、図１Ｂに示したカメラの側断面図である。
【００４１】
図２Ｂにおいて、１０９はレンズ、１３は絞り、ＱＭはクイックリターンミラー、５１はファインダースクリーン、５２はペンタプリズム、５３は接眼レンズである。また、１０５は位相差型のＡＦセンサを含むＡＦ回路、１０７はシャッター駆動回路、１１０はシャッター、１１３は固体撮像素子である。
【００４２】
次に、図３に示される建物を被写体として撮影を行う場合を例に挙げて説明する。
【００４３】
図３の被写体を撮影したとき、期待される映像は、図４のようなものである。ところが、カメラのレリーズボタン３１を押したとき、カメラはその押圧によって光軸の回りに回転してしまうことが多い。仮に、カメラが光軸を中心にして約１°右に回ったとき、撮影される画像は、図５のように建物が、左回りに約１°回ったものとなる。この微少な回転角は、カメラ付属の小型モニタ２７では確認しづらい。ましてカメラ３０が完全に水平な場所に置かれている場合でなければ、撮影者にとっては、大変判定しにくいものである。
【００４４】
本実施形態のカメラでは、撮影画像のプレビュー再生時に、方眼目盛りが自動的に画面に付加される。具体的には、図５の様に撮影された画像に、図６に示したような方眼目盛りがスーパーインポーズされた状態で図７のように表示される。なお、スーパーインポーズされる目盛りのデータは、予めメモリー部１１７などに記憶されている。また、このスーパーインポーズする表示制御は、制御ＣＰＵ１０１により行われる。
【００４５】
図７をみると、建物の直線部分と、方眼の直線部分が近い位置にあるため、１°といった非常に小さい角度であってもただちに確認することができる。
【００４６】
そこで、撮影者は、先に撮影した画像が失敗画像であることを認識し、次の撮影では、失敗点に注意しながら撮影することができる。
【００４７】
つづいて撮影した画像が、所望する画像となった場合、小型モニタ２７に表示される画像は、図８の様になる。方眼の各ラインと、建物の直線部分が平行になっており、正しい角度で撮影できたことがただちに理解できる。よって、記録媒体１１９に記録される画像は、この方眼目盛りのない図４の画像となる。
【００４８】
（第２の実施形態）
第２の実施形態におけるデジタルスチルカメラは、図１Ａ、図１Ｂ、図２Ａ、図２Ｂに示した第１の実施形態の場合と実質的に同様な構成である。図９に示した補助表示が、撮影された画像にスーパーインポーズされる。
【００４９】
たとえば、年賀状などに使われる初日の出の写真は、まさに中心に太陽を配置したい。そのために、撮影者はカメラの中心位置がどこであるかを的確に知りたい。一眼レフタイプのカメラであれば、ファインダー光学系に配置されたファインダースクリーン５１の中心部分にけがき（撮影補助枠）が形成されており、被写体を中心に持ってくることは可能である。ただし、第１の実施形態のようなレリーズ時のぶれなどにより、撮影された画像では、被写体である太陽の位置が微妙にずれてしまうことがある。
【００５０】
本実施形態のカメラであれば、メモリー１１７あるいは記録媒体１１９に記録された画像をカメラ付属の小型モニタ２７へ再生画像として表示することが可能である。その場合、たとえば、図１１のように、被写体である太陽と、中心位置の目標となる補助目盛りがスーパーインポーズされた画像を、小型モニタ２７に表示可能である。
【００５１】
図１１では、太陽の位置が、１目盛り分だけ左へずれている。カメラ付属の小型モニタ２７だけでは、通常では発見できないズレであるが、本実施形態のカメラであれば、その場でのチェックが可能となる。
【００５２】
なお、中心位置に撮影できた場合は、図１０のようになり、そのとき、記録媒体１１９に記録される画像は図１２のようになる。
【００５３】
（第３の実施形態）
第３の実施形態におけるデジタルスチルカメラは、図１Ａ、図１Ｂ、図２Ａ、図２Ｂに示した第１、第２の実施形態の場合と実質的に同様な構成である。図１４に示した補助表示が、撮影された画像にスーパーインポーズされる。
【００５４】
図１４に示す補助表示は、黄金分割といわれる分割方式により作成されている。黄金分割とは１：０．６１８０３の比率として名刺などの縦横比として有名である。この比率を用いた構図は図１３に示すように、画面に対し、対角線を引き、それとは異なる角からその対角線に垂直に線を引いた位置、これが黄金分割比の構図である。その交点から縦横に直線を引いた方眼が、図１４である。
【００５５】
たとえば、図１２のような太陽のみを撮影するのではなく、浜辺にいる人もフレームに入れたい場合を考えてみる。第２の実施形態のように太陽を中心に持ってきた場合、浜辺にいる人物は、下よりにくるため、図１５の様な構図となる。なにか落ち着かない構図となっている。
【００５６】
本実施形態のカメラであれば、この画像の確認画像を見ると、図１６の様に黄金分割の方眼が入る。
【００５７】
撮影者は、図１６を基に、どのような構図で撮影すればよいかを再考し、図１７の様になるように構図調整して撮影し直すことが可能である。
【００５８】
なお、図１７のように小型モニタ２７に表示された画像は記録媒体１１９には図１８の様な画像として保存される。
【００５９】
（第４の実施形態）
第４の実施形態におけるデジタルスチルカメラは、図１Ａ、図１Ｂ、図２Ａ、図２Ｂに示した第１、第２、第３の実施形態のカメラと同様の構成である。ただし、その構成に加え、図１９に示すように、ファインダースクリーン５１の近傍に、ファインダースクリーン判別装置５４が追加されている。
【００６０】
図１９において、５１はファインダースクリーン、５４は交換可能なファインダースクリーン５１の種別を判別するファインダースクリーン判別装置であり、どのタイプのファインダースクリーンが装着されているのかを判別する。
【００６１】
このファインダースクリーン判別装置５４により、光学式ファインダーを覗いた撮影者はファインダスクリーン５１に施されたケガキによる模様を光学的に確認できると共に、撮影後の再生画像では、ファインダースクリーン５１に施されたケガキと同形の補助枠がスーパーインポーズされた画像を確認することができる。
【００６２】
図２０（ａ）は、ファインダースクリーン５１に用いられる標準マット２０１を示す。本実施形態のカメラで撮影したとき、小型モニタ２７には、図２０（ｂ）のような絵となる。
【００６３】
図２１（ａ）は、方眼マット２０２を示す。方眼マット２０２をカメラのファインダースクリーン５１として装着したとき、小型モニタ２７に表示される再生画像は、図２１（ｂ）のようになる。
【００６４】
続いて図２２（ａ）は黄金分割マット２０３を示す。黄金分割マット２０３をファインダースクリーン５１として装着したとき、小型モニタ２７に表示される再生画像は、図２２（ｂ）のようになる。
【００６５】
最後に図２３（ａ）は十文字マット２０４を示す。十文字マット２０４をファインダースクリーン５１として装着したとき、小型モニタ２７に表示される再生画像は、図２３（ｂ）のようになる。
【００６６】
次に、本実施形態のカメラで、ファインダースクリーン５１のマットを交換しないで、スーパーインポーズされる補助枠（補助目盛り）を変更する操作について説明する。
【００６７】
現在の設定としては、ファインダースクリーン５１として標準マット２０１が設定されている。スーパーインポーズ表示は、ファインダースクリーン５１に設定されている光学マットすなわち標準マット２０１が反映されるようになっているので、撮影後に小型モニタ２７に表示される画像は、図２０（ｂ）であるとする。
【００６８】
これを、光学マットを変えずに方眼マット２０２と同じ補助目盛りをスーパーインポーズする設定方法を説明する。
【００６９】
図２４は、操作メニューであり、メニューボタン３８を押したときに、小型モニタ２７に表示される。このメニューでは、その他の機能の設定もできる状態となっている。
【００７０】
図２４（ａ）の状態で、セレクトボタン３９を押すと、図２４（ｂ）のように、設定可能なメニューにフォーカスが移りハイライトされる。その状態でセレクトボタン３９を押したままサブ電子ダイヤル３３を回転させると、フォーカスされているメニューが順次下へと移動する。今回は、画像再生時の補助目盛りを変更したいので、図２４（ｃ）の「再生時補助目盛り」のメニューにフォーカスがハイライトされるまで、サブ電子ダイヤルを回転させ、「再生時補助目盛り」がハイライトされたところで、セレクトボタン３９を離す。
【００７１】
すると、今度は、「再生時補助目盛り」メニューの下位メニューへと入り、図２４（ｄ）の表示となる。現在の設定は、ファインダースクリーン５１に設定された光学マットに連動した補助目盛りがスーパーインポーズされる設定となっているので、「スクリーン連動」メニューにフォーカスが合い、そこがハイライト表示されている。
【００７２】
ファインダースクリーン５１に設定されている標準マット２０１の表示ではなく、方眼マット２０２の目盛りで表示したいのであるので、ここを変更する。
【００７３】
図２４（ｄ）の状態で、セレクトボタン３９を押すと、「スクリーン連動」メニューにフォーカスが合い、ハイライト表示される。そのままセレクトボタン３９を保持したまま、サブ電子ダイヤルを回転させるとフォーカスされているメニューが変更され、「方眼（細）」にフォーカスが合い、ハイライト表示されたらセレクトボタン３９を離す。
【００７４】
これにより、ファインダースクリーン５１に設置された光学マットによらず、スーパーインポーズされる補助目盛りは、図２１のようになる。
【００７５】
なお、ここでのメニュー設定で「切」モードにすれば、再生画像の確認のときには、補助目盛りのスーパーインポーズが行われることはない。
【００７６】
（第５の実施形態）
第５の実施形態におけるデジタルスチルカメラは、図１Ａ、図１Ｂ、図２Ａ、図２Ｂに示した第１、第２、第３の実施形態のカメラに対して、拡大再生時の補助目盛りの変更方法が異なっている。
【００７７】
図２５は、湖畔の写真を示している。図２６は、スケールの入ったマットをスーパーインポーズしたものである。
【００７８】
本実施形態の拡大機能は、拡大再生時に補助目盛りも拡大する。
【００７９】
撮影者はこの画像を拡大確認する際、拡大ボタン４４を押す。押すたびに被写体が大きくなり、図２７は図２６を４倍に拡大した状態である。そのとき、スケールの入った目盛りも同じように拡大する。スケールも同様に拡大するので、画像の細かい箇所を見ながらサイズ確認が行える。
【００８０】
（第６の実施形態）
第６の実施形態におけるデジタルスチルカメラも、図１Ａ、図１Ｂ、図２Ａ、図２Ｂに示した第１、第２、第３の実施形態のカメラに対して、拡大再生時の補助目盛りの変更方法が異なっている。
【００８１】
本実施形態の拡大機能は、拡大再生時に補助目盛りは拡大しない。
【００８２】
撮影者はこの画像を拡大確認する際、拡大ボタン４４を押す。確認する画像は、押すたびに大きくなる。図２８は図２６を４倍に拡大した状態である。そのとき、スケールの入った目盛りは、拡大しないので、細かなサイズチェックが行える。
【００８３】
以上、デジタルスチルカメラのような携帯型撮像装置における画像確認の方法について説明した。
【００８４】
上記の実施形態の手法を用いれば、デジタルスチルカメラに付属するような小型モニタであっても、撮影者の所望する補助目盛りをスーパーインポーズすることができ、画像の確認を容易に行うことができる。
【００８５】
また、上記の実施形態の手法を用いれば、携帯型の撮像装置を水平な場所に置くことができなくても、画面の水平、垂直を容易に確認できたり、中心位置を確認できたり、画像の構図を確認することが可能である。
【００８６】
また、ユーザーの好みにより、拡大時、縮小確認時も様々な観点からの確認が容易となり、家庭、オフィス、スタジオに戻って確認せずとも、質の高い画像確認を行うことができる。これによりデジタルスチルカメラの機動性が格段に向上する。
【００８７】
（他の実施形態）
また、各実施形態の目的は、次のような方法によっても達成される。すなわち、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、本発明には次のような場合も含まれる。すなわち、プログラムコードの指示に基づき、コンピュータ上で稼働しているオペレーティングシステム（ＯＳ）などが実際の処理の一部または全部を行い、その処理によって前述した実施形態の機能が実現される。
【００８８】
さらに、次のような場合も本発明に含まれる。すなわち、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行い、その処理によって前述した実施形態の機能が実現される。
【００８９】
本発明を上記記憶媒体に適用する場合、その記憶媒体には、先に説明した手順に対応するプログラムコードが格納されることになる。
【図面の簡単な説明】
【００９０】
【図１Ａ】本発明の各実施形態に共通する撮像装置としてのデジタルスチルカメラの外観図である。
【図１Ｂ】本発明の各実施形態に共通する撮像装置としてのデジタルスチルカメラの外観図である。
【図２Ａ】本発明の各実施形態に共通するデジタルカメラシステムの構成を示すブロック図である。
【図２Ｂ】図１Ａ、図１Ｂに示したカメラの側断面図である。
【図３】被写体の例を示す図である。
【図４】撮影者が期待する撮影画像の例を示す図である。
【図５】カメラが回転して失敗した撮影画像の例を示す図である。
【図６】第１の実施形態の補助目盛りを示す図である。
【図７】第１の実施形態の補助目盛りを用いた撮影確認画像の例を示す図である。
【図８】第１の実施形態の補助目盛りを用いた撮影確認画像の例を示す図である。
【図９】第２の実施形態の補助目盛りを示す図である。
【図１０】第２の実施形態の補助目盛りを用いた撮影確認画像の例を示す図である。
【図１１】第２の実施形態の補助目盛りを用いた撮影確認画像の例を示す図である。
【図１２】第２の実施形態における撮影者が期待する撮影確認画像の例を示す図である。
【図１３】第３の実施形態の黄金分割構図の説明図である。
【図１４】第３の実施形態の黄金分割構図の補助目盛りを示す図である。
【図１５】被写体の例を示す図である。
【図１６】第３の実施形態の黄金分割構図の補助目盛りを用いた確認画像の例を示す図である。
【図１７】第３の実施形態の黄金分割構図の補助目盛りを用いた確認画像の例を示す図である。
【図１８】第３の実施形態における撮影者が期待する画像の例を示す図である。
【図１９】第４の実施形態のカメラの断面図である。
【図２０】第４の実施形態の光学マットと確認画像の例を示す図である。
【図２１】第４の実施形態の光学マットと確認画像の例を示す図である。
【図２２】第４の実施形態の光学マットと確認画像の例を示す図である。
【図２３】第４の実施形態の光学マットと確認画像の例を示す図である。
【図２４】第４の実施形態のメニュー設定画面を示す図である。
【図２５】第５の実施形態における画像の例を示す図である。
【図２６】第５の実施形態の確認画像の例を示す図である。
【図２７】第５の実施形態の確認画像を拡大した例を示す図である。
【図２８】第６の実施形態の確認画像を拡大した例を示す図である。
【符号の説明】
【００９１】
２７  小型モニタ
３１  レリーズボタン
３２  メイン電子ダイヤル
３３  サブ電子ダイヤル
３４  モード設定ボタン
３５  ＡＦモード選択ボタン
１０１  制御ＣＰＵ
１０２  レリーズスイッチ
１０３  ＩＳＯ感度設定スイッチ
１０４  その他各種スイッチ
１０５  ＡＦ回路
１０６  ＤＣ／ＤＣコンバータ
１０７  シャッター駆動回路
１１０  シャッター
１１１  タイミングジェネレータ
１１２  撮像ドライバー
１１３  固体撮像素子
１１４  撮像信号処理回路
１１５  Ａ／Ｄ変換回路
１１６  信号処理部
１１７  メモリー部
１１８  記録媒体制御インターフェース部
１１９  記録媒体
【図１Ａ】
2009141703.tif 000003
【図１Ｂ】
2009141703.tif 000004
【図２Ａ】
2009141703.tif 000005
【図２Ｂ】
2009141703.tif 000006
【図３】
2009141703.tif 000007
【図４】
2009141703.tif 000008
【図５】
2009141703.tif 000009
【図６】
2009141703.tif 000010
【図７】
2009141703.tif 000011
【図８】
2009141703.tif 000012
【図９】
2009141703.tif 000013
【図１０】
2009141703.tif 000014
【図１１】
2009141703.tif 000015
【図１２】
2009141703.tif 000016
【図１３】
2009141703.tif 000017
【図１４】
2009141703.tif 000018
【図１５】
2009141703.tif 000019
【図１６】
2009141703.tif 000020
【図１７】
2009141703.tif 000021
【図１８】
2009141703.tif 000022
【図１９】
2009141703.tif 000023
【図２０】
2009141703.tif 000024
【図２１】
2009141703.tif 000025
【図２２】
2009141703.tif 000026
【図２３】
2009141703.tif 000027
【図２４】
2009141703.tif 000028
【図２５】
2009141703.tif 000029
【図２６】
2009141703.tif 000030
【図２７】
2009141703.tif 000031
【図２８】
2009141703.tif 000032